(57)【要約】【課題】透光性を調節可能とした従来の調光ガラスは、いずれも調光手段として液晶を用いており、液晶はガラス板の全面に設けなければならないので非常に高価である。【解決手段】本発明ではガラス基材内に希土類酸化物等の蛍光体の微粒子が分散した透明な板ガラスを形成し、端縁に紫外線発光ダイオード等の励起用発光源を設置した発光ガラス装置を提案する。この発光ガラス装置では、蛍光体を発光させることにより実質的な遮光効果を得ることができ、板ガラス全体の発色により新たな美観的要素が生じ、新たな付加価値を作り出すことができる。透明な板ガラス１内に、蛍光体に加えてフォトクロミック剤と光拡散剤を分散させた場合には蛍光体の発光による効果に加えて、フォトクロミック剤によるフォトクロミツク効果と光拡散剤による光拡散効果が相乗的に加わるために調光効果が向上して良好に視線を遮ることができる。【選択図】図１
2009140745.tif 000002
【特許請求の範囲】
【請求項１】
ガラス基材内に蛍光体の微粒子が分散した透明な板ガラスを形成し、その端縁に励起用発光源を設置したことを特徴とする発光ガラス装置。
【請求項２】
ガラス基材内に蛍光体と、フォトクロミック剤と、光拡散剤の微粒子が分散した透明な板ガラスを形成し、その端縁に励起用発光源を設置したことを特徴とする発光ガラス装置。
【請求項３】
蛍光体が、希土類酸化物である請求項１又は２に記載の発光ガラス装置。
【請求項４】
フォトクロミック剤が銀を含むものであることを特徴とする請求項２に記載の発光ガラス装置。
【請求項５】
光拡散剤が炭酸カルシウム又はカオリンであることを特徴とする請求項２に記載の発光ガラス装置。
【請求項６】
励起用発光源が、紫外線発光ダイオード又はレーザダイオードであることを特徴とする請求項１又は２に記載の発光ガラス装置。
【請求項７】
励起用発光源が、ブラックライト蛍光ランプであることを特徴とする請求項１又は２に記載の発光ガラス装置。
【発明の詳細な説明】
【技術分野】
【０００１】
本発明は、建物の採光窓、仕切パネル、電飾看板、ＰＯＰディスプレー、ショーケース等に用いる発光ガラス装置に関するものである。
【背景技術】
【０００２】
例えば建物の採光窓に用いる透明板ガラスは、室外から光を取り入れる機能と室内から室外の視界を得る機能を利用するものである反面、夏期における日射や夜間等における外からの視線が遮れず、これらを遮るためにはカーテンやブラインド等が必要であるという難点がある。一方、すりガラスは、視線を遮りながら採光も可能であるが、視界が得られないという難点がある。
【０００３】
このような難点を解決するために、例えば特許文献１、特許文献２に示されるように、その透光性を調節可能とした調光ガラスが従来から提案されている。
【０００４】
特許文献１は建物の明り採り部に関するもので、厚み方向に間隔をあけて並設する複数の板ガラスの内、室外側に配置する第１板ガラスを熱線反射ガラスで形成すると共に、第１板ガラスより室内側に配置する第２板ガラスを、板ガラス本体に液晶フィルムを付設して、透明な状態と不透明な状態とに切替操作自在とした調光ガラスで構成したものである。
【０００５】
また特許文献２は調光機能を備えた合わせガラスに関するもので、ＰＥＴフィルムからなる１対の基板の各対向面にＩＴＯ膜による透明導電膜を形成すると共に、この一対の透明導電膜の間に液晶層を介在させた構成の調光体を一対の板ガラスの間に挟持した構成である。
【０００６】
また特許文献３には、２枚のガラス板の間に中間膜と液晶調光素子とが挟持され、中間膜中に熱線遮蔽性微粒子が含まれている調光窓が記載されている。
【特許文献１】特開平７−１１９３６２号公報
【特許文献２】特開平２００４−１８２４８４号公報
【特許文献３】特開平２００４−１３１３３５号公報
【発明の開示】
【発明が解決しようとする課題】
【０００７】
以上の従来技術においては、いずれも調光手段として液晶を用いており、液晶はガラス板の全面に設けなければならないので非常に高価である。
本発明はこの課題を解決することを目的とするものである。
【課題を解決するための手段】
【０００８】
本発明では、上述した目的を達成するために、ガラス基材内に蛍光体の微粒子が分散した透明な板ガラスを形成し、その端縁に励起用発光源を設置した発光ガラス装置を提案する。
【０００９】
また本発明では、上述した課題を解決するために、ガラス基材内に蛍光体と、フォトクロミック剤と、光拡散剤の微粒子が分散した透明な板ガラスを形成し、その端縁に励起用発光源を設置した発光ガラス装置を提案する。
【００１０】
また本発明では、上記の構成において、蛍光体を、希土類酸化物とすることを提案する。
【００１１】
また本発明では、上記の構成において、フォトクロミック剤が銀を含むものとすることを提案する。
【００１２】
更に本発明では、上記の構成において、光拡散剤を炭酸カルシウム又はカオリンとすることを提案する。
【００１３】
また本発明では、上記の構成において、励起用発光源を、紫外線発光ダイオード又はレーザダイオードとすることを提案する。
【００１４】
また本発明では、上記の構成において、励起用発光源を、ブラックライト蛍光ランプとすることを提案する。
【発明の効果】
【００１５】
本発明の発光ガラス装置では、励起用光源がＯＦＦの状態においては、板ガラス内に分散している蛍光体が発光しないため、透明ガラスとしての機能を発揮する。
【００１６】
励起用光源をＯＮとすると、励起用光源からの光は端縁から板ガラス内に入射して、板ガラス内に分散している蛍光体を励起するので、それらの蛍光体から発光がなされる。
【００１７】
このように透明な板ガラス内に分散している蛍光体が発光し、全体として均一に発色するため、発色により板ガラスを通しての前方の視認性が悪くなり、実質的に視線を遮ることができると共に、発色により新たな美観的要素が生じる。
【００１８】
透明な板ガラス内に、蛍光体に加えてフォトクロミック剤と光拡散剤を分散させた場合には、上述した蛍光体の発光による効果に加えて、フォトクロミック剤によるフォトクロミツク効果と、光拡散剤による光拡散効果が相乗的に加わるために、調光効果が向上して、良好に視線を遮ることができる。
【００１９】
蛍光体としては、酸化サマリウム、酸化ユウロピウム、酸化セリウム、酸化エルビウム等の希土類酸化物を夫々単独で、又は複合して使用することができる。
【００２０】
フォトクロミック剤としては、銀ナノ粒子や、銀と塩素、臭素、酸化銅等を含むフォトクロミツク剤等、銀を含むものとすることができる。
【００２１】
光拡散剤としては、炭酸カルシウム又はカオリンとすることができる。
【００２２】
また、励起用発光源としては、紫外線発光ダイオード又はレーザダイオードやブラックライト蛍光ランプとすることができる。
【発明を実施するための最良の形態】
【００２３】
次に本発明の実施の形態を、添付図面を参照して説明する。
図１は本発明の発光ガラス装置を模式的に示す正面図であり、図２は図１のＡ−Ａ線断面図である。
符号１はガラス素材内に酸化サマリウム、酸化ユウロピウム、酸化セリウム、酸化エルビウム等の希土類酸化物等の蛍光体の微粒子を添加して形成した板ガラスであり、このことから板ガラス１内には添加した蛍光体の微粒子が分散して存在する。
【００２４】
符号２は板ガラス１の端縁に配置した保持装置であり、この保持装置２内に板ガラス１の端縁に沿って励起用光源３を設置している。この実施の形態では、励起用光源３は、板ガラス１の各端縁に沿って設置しているが、板ガラス１の寸法によっては、一端縁にのみ設置することもできる。
【００２５】
またこの実施の形態では、励起用光源３は、ブラックライト蛍光ランプ等の線状の光源を板ガラス１の端縁に沿って設置しているが、紫外線発光ダイオード又はレーザダイオードのように点状の光源の場合には、これを線状に列設して板ガラス１の端縁に沿って設置すれば良い。更に、この実施の形態においては、励起用光源３からの光束が板ガラス１の端縁に効率的に集光できるようにするために反射部材４を設置している。
【００２６】
以上の構成において、本発明の発光ガラス装置では、励起用光源３がＯＦＦの状態においては、板ガラス１内に分散している蛍光体が発光しないため、透明ガラスとしての機能を発揮する。
【００２７】
そして励起用光源３をＯＮとすると、励起用光源３からの光は端縁から板ガラス１内に入射して、板ガラス１内に分散している蛍光体を励起するので、それらの蛍光体から発光がなされる。
【００２８】
このように透明な板ガラス１内に分散している蛍光体が発光し、全体として均一に発色するため、発色により板ガラス１を通しての前方の視認性が悪くなるため、実質的に視線を遮ることができ、また発色により新たな美観的要素が生じる。
【００２９】
また本発明の発光ガラス装置において、透明な板ガラス１内に、蛍光体に加えてフォトクロミック剤と光拡散剤を分散させた場合には、上述した蛍光体の発光による効果に加えて、フォトクロミック剤によるフォトクロミツク効果と、光拡散剤による光拡散効果が相乗的に加わるために、調光効果が向上して、良好に視線を遮ることができる。
【００３０】
このようなことから本発明の発光ガラス装置は、採光窓、仕切パネル、電飾看板、一般ＰＯＰディスプレイ、ショーケース等に利用できる。また、例えば箱体の側壁に適用し、発色している側壁が、急に透明となって内部の人形等のオブジェクトが見えるようにすることにより、びっくり箱等への利用も可能である。
【産業上の利用可能性】
【００３１】
本発明は以上の通り、板ガラス内に分散させた蛍光体の微粒子を発光させて全体として発色させることにより、実質的に視線を遮って遮光効果をもたらすので、液晶等の高価な遮光素子を板ガラスの全面に渡って配置する必要がなく、非常に安価に調光ガラスと同等の機能を発揮させることができる。
【００３２】
また本発明では、このように蛍光体を発光させることにより実質的な遮光効果をもたらすものであるから、板ガラス全体の発色により新たな美観的要素が生じ、新たな付加価値を作り出すことができる。
【００３３】
また本発明の発光ガラス装置において、透明な板ガラス内に、蛍光体に加えてフォトクロミック剤と光拡散剤を分散させた場合には、上述した蛍光体の発光による効果に加えて、フォトクロミック剤によるフォトクロミツク効果と、光拡散剤による光拡散効果が相乗的に加わるために、調光効果が向上して、良好に視線を遮ることができる。
【図面の簡単な説明】
【００３４】
【図１】本発明の発光ガラス装置を模式的に示す正面図である。
【図２】図１のＡ−Ａ線断面図である。
【符号の説明】
【００３５】
１              板ガラス
２              保持装置
３              励起発光源
４              反射部材
【図１】
2009140745.tif 000003
【図２】
2009140745.tif 000004